(57)【特許請求の範囲】
【請求項１】
筐体に熱交換器、室外ファン、圧縮機および電装箱が収容され、前記室外ファンの運転により生じる送風誘引力を利用して前記電装箱に実装された電気部品を冷却する室外機において、
外気の吸込み口と排気口を除き、前記電装箱、前記電装箱を支持するフレームおよび前記電装箱の外面を覆うパネルによって閉じた空間が形成され、
かつ前記閉じた空間の前記吸込み口の下流に、外気を前記電装箱に導く風路を備えた通風ガイドが設置され、
前記通風ガイドは、
風路の途中に複数の穴が形成された第１の壁が設けられ、前記第１の壁に形成された前記複数の穴の開口面積の合計は、前記吸込み口の開口面積以上であり、
上方および下方に少なくとも１回折れ曲がった迷路風路が形成され、
かつ電装箱導入口における外気の吹き出し方向が前記吸込み口における外気の吸込み方向に対し略９０度曲がっていることを特徴とする空気調和機の室外機。
【請求項２】
前記通風ガイド内の前記迷路風路の下流に空間が設けられ、この空間の風路断面積は、前記迷路風路の断面積より大きいことを特徴とする請求項１に記載の空気調和機の室外機。
【請求項３】
前記吸込み口は、前記パネルに形成された、縦方向に長い複数のスリットで構成されていることを特徴とする、請求項１又は２に記載の空気調和機の室外機。
【請求項４】
前記迷路風路は、下部に開口部が設けられた第２の壁と、上部に開口部が設けられた第３の壁によって構成されていることを特徴とする請求項１〜３のいずれか一項に記載の空気調和機の室外機。
【請求項５】
前記閉じた空間は略直方体状であり、対角線の一方の角の近傍に前記通風ガイドが配置され、他方の角の近傍に前記排気口が配置されていることを特徴とする請求項１〜４のいずれか一項に記載の空気調和機の室外機。
【請求項６】
前記第１の壁の外気が流入する側の面に、外気温センサを取り付けるセンサ保持部が設けられていることを特徴とする請求項１〜５のいずれか一項に記載の空気調和機の室外機。
【発明の詳細な説明】
【技術分野】
【０００１】
この発明は、室外ファンの運転により生じる送風誘引力を利用して、電装箱に実装された電気部品の冷却を行う空気調和機の室外機に関するものである。
【背景技術】
【０００２】
電気部品を実装した電装箱が筐体内に収容された空気調和機の室外機は、筐体外の曝露部分から水滴、雪、塵埃、更には小動物が侵入し、これらが電気部品に付着または堆積（感電）することにより、絶縁不良や導通異常が発生する恐れがある。このような事態が生じると、電気部品の動作が不確実になって故障を起こすため、電気部品近傍への水滴、雪、塵埃もしくは小動物の侵入を防止し、空気調和機の室外機の信頼性を高める構造の確立が求められている。
【０００３】
以下に、水滴、雪、塵埃や小動物の侵入を防止する手段を備えた従来の空気調和機の室外機の構成を説明する。特許文献１に記載の室外機では、電装部品収納室への雨水浸入を防ぐため、邪魔板とダクトカバーを設けている。また電装箱の外部から直視できない位置に設けられた通風口に対して、邪魔板とは別に通風開口が直視できないように水止壁を設け、さらに遮水壁より収納室側に防水壁を設けている。これら遮水壁と防水壁とで通風開口面積以上の流路断面積を有する減速室を設けている。
【０００４】
特許文献２に記載の室外機では、電装品箱への害虫の侵入を防止するため、室外ファンと熱交換器とを有する熱交換室と、圧縮機を有する機械室との間を仕切板によって区画し、機械室側から冷却空気を電装品箱に取入れ、内部を流通した冷却空気を熱交換室側に排出している。さらに、電装品箱底面に制御基板を適宜隙間を設けて取付けると共に、電装品箱底面に冷却空気を吸込む穴を設け、制御基板側面と吸込み穴の間に、前記隙間を小さくするリブを制御基板に対向する電装箱底面に設けている。
【０００５】
特許文献３または４に記載の室外機では、筐体の外郭を柱、フレーム、正面パネル、ファンガードおよび熱交換器で形成し、筐体内部に室外ファン、圧縮機を内蔵する機械室を設けている。また機械室の上方には電装箱を支えるフレームがあり、電気部品類を実装した電装箱をフレームに固定し、電装箱を熱交換器と室外ファンとの間の風路内に配備している。
【０００６】
そして、室外ファンによって熱交換器を通過した気流（熱交換器２次側）を、電装箱の下方（開口部）から吸込み、電装箱左上方の排気口を通過させることによって電装箱内部を冷却している。室外機の電装箱の吸込み口にはガードが取付けられており、室外ファンによって熱交換器を通過した気流が、室外機の筐体内に堆積した雪や粉塵を巻上げて電装箱内部へ運搬することを防止し、かつ室外機の外部より侵入した小動物が電装箱へ侵入し電気部品と感電するのを防止している。
【先行技術文献】
【特許文献】
【０００７】
【特許文献１】特許公開２００８−２８１２８６号公報
【特許文献２】特許公開２００９−２１６３６４号公報
【特許文献３】特許公開２０１０−１６９３１１号公報
【特許文献４】特許公開２００９−２４３８００号公報
【発明の概要】
【発明が解決しようとする課題】
【０００８】
上述した水滴、雪、塵埃や小動物の侵入を防止する手段を採用した従来の室外機のうち、特許文献１または２に記載の構成では、筐体の外郭パネルに電装箱を冷却する外気を取入れる専用の吸込み口がなく、室外機の現地配管接続口や電線接続口周辺の隙間や、下面のベース穴から外気を間接的に取入れている。そのため、室外ファン運転により前記隙間から吸込まれる外気の風量が少なく、ビル用マルチエアコンのような大容量の室外機では、電装箱内を冷却する十分な外気風量を確保できない。
【０００９】
また、室外機周辺に雪が堆積した場合、外気吸込み用の前記隙間やベース穴が閉鎖される可能性がある。また、筐体内の仕切り板によりファンと熱交換器を有する熱交換室と、圧縮機を有する機械室とに仕切り、前記隙間から吸込んだ外気を密閉された機械室内を流し機械室側に配置された電装箱吸込み口から外気を取入れる構成のため、雨水や雪・粉塵の侵入に対し効果はあるが、冷房時等では機械室内に熱が籠り易く、前記隙間から取込んだ外気が機械室内で暖められ、電装箱の冷却効果が低くなる。
【００１０】
更に、筐体内をファンと熱交換器を有する熱交換室と、圧縮機を有する機械室とに仕切る構成の室外機は、機械室側に熱交換器がないため、特許文献３の構成をとる室外機に比べて熱交換器の容量（面積）が小さくなり、同等の熱交換器容量を確保するには製品を大型化する必要があった。
【００１１】
また、特許文献１のような、電装箱の通風口に邪魔板とダクトカバーおよび遮水壁と防水壁により減速室を設けた室外機においては、電装箱自体の板金構造が複雑で遮水壁や防水壁を構成する材料費および加工費が高くなる。
【００１２】
一方、筐体の上部に室外ファンを配置し、圧縮機、熱交換器および電装箱をその下部に配置した特許文献３または４に記載の室外機では、電装箱内部の電気部品の冷却に室外ファンによって熱交換器を通過した気流、すなわち熱交換器で加熱された気流を使用するため、電気部品の冷却効果は低い。
【００１３】
また、熱交換器２次側の気流を使用しているため、冷房時などは２次側空気温が外気より高いので、電装箱吸込み口の開口面積を大きくとる必要がある。そのため、電装箱吸込み口（開口部）の全面積を塞ぎ雪や小動物の侵入を防止するガード部品のサイズが大きくなり、構造が複雑で加工費と材料費が掛かり高価であった。
【００１４】
この発明は上述の課題を解決するためになされたもので、その目的は、電装箱に実装された電気部品の冷却効果を高め、電装箱への水滴、粉塵、雪さらには小動物の侵入を防止する安価な手段を提供し、信頼性の高い空気調和機の室外機を得ることである。
【課題を解決するための手段】
【００１５】
上記課題を解決するため、この発明にかかる空気調和機の室外機は、筐体に熱交換器、室外ファン、圧縮機および電装箱が収容され、前記室外ファンの運転により生じる送風誘引力を利用して前記電装箱に実装された電気部品を冷却する室外機において、外気の吸込み口と排気口を除き、前記電装箱、前記電装箱を支持するフレームおよび前記電装箱の外面を覆うパネルによって閉じた空間が形成され、かつ前記閉じた空間の前記吸込み口の下流に、外気を前記電装箱に導く風路を備えた通風ガイドが設置され、前記通風ガイドは、風路の途中に複数の穴が形成された第１の壁が設けられ、前記第１の壁に形成された前記複数の穴の開口面積の合計は、前記吸込み口の開口面積以上であり、上方および下方に少なくとも１回折れ曲がった迷路風路が形成され、かつ電装箱導入口における外気の吹き出し方向が前記吸込み口における外気の吸込み方向に対し略９０度曲がっていることを特徴とする。
【発明の効果】
【００１６】
この発明によれば、電装箱開口部を熱交換器２次側と遮へいし、外気を正面パネルの吸込み口から直接電装箱内へ流し電気部品の冷却を行う構成としたことで、電気部品の冷却効果が向上する。また電装箱の外気吸込み口に、気流を導き、雪、粉塵、および小動物の侵入を防止する通風ガイドを設けたことで、簡単な構造で電装箱への雪、粉塵および小動物の侵入を防止し、信頼性を確保しながら安価な空気調和機の室外機が得られる。
【図面の簡単な説明】
【００１７】
【図１】この発明の実施の形態における室外機の分解斜視図である。
【図２】図１に示す室外機の電装箱内の風路を示す斜視図である。
【図３】図１に示す室外機の電装箱吸込み口に設けられた通風ガイドの取付け状態を示す斜視図である。
【図４】同正面パネルに設けられたスリットとフレームに設けられたスリットの位置関係を示す要部斜視図である。
【図５】同正面パネルに設けられたスリットとフレームに設けられたスリットの位置関係を示す要部正面図である。
【図６】同フレーム１０への通風ガイドの取付状態を示す分解斜視図である。
【図７】同通風ガイドの内部構造を示す斜視図である。
【図８】同通風ガイドに外気温センサが取付けられた状態を示す要部斜視図である。
【発明を実施するための形態】
【００１８】
図１は、この発明の実施の形態における空気調和機の室外機の外観を示す分解斜視図である。最初に、図1を参照して、空気調和機の室外機の基本的な構成を説明する。室外機は、柱１、フレーム２、正面パネル３、ファンガード４および熱交換器５で筐体１６を構成している。ファンガード４の通気部分は空気吹出口７となっている。図中、太い矢印は風路、すなわち空気の流れの通路を示している。以後の図面においても同様である。
【００１９】
空気吹出口７下方の筐体１６内の上部に室外ファン６が取り付けられ、下部に圧縮機を内蔵する機械室８が設けられている。機械室８の上方には電装箱９を支えるフレーム１０があり、電気部品類を実装した電装箱９がフレーム１０および上部のフレーム２にそれぞれ固定されている。電装箱９の外面は正面パネル３で覆われている。
【００２０】
電装箱９には冷却ファンがなく、電装箱９内に取込んだ外気により電気部品類の冷却を行っている。具体的には、電装箱９、これを支持するフレーム２と１０、電装箱９の外面を覆う正面パネル３によって略直方体状の閉じた空間Ｓを形成すると共に、この閉じた空間Ｓに外気の吸込み口から排気口に向かう風路を形成することによって、電装箱９に装着された電気部品類を冷却している。
【００２１】
図２〜図５を参照して、電装箱９に実装された電気部品類に対する冷却作用について説明する。図２は電装箱９内の風路を示す斜視図、図３は電装箱９の開口部１４の端にあるフレーム１０に形成された風路を示す斜視図である。また図４および図５は、正面パネル３に設けられたスリット３ａとフレーム１０に設けられたスリット１１ａの位置関係を示す斜視図および正面図である。
【００２２】
図２および図３に示すように、電装箱９を支えるフレーム１０は電装箱９の下部１７と嵌合しており、電装箱９の下部の開口部１４と熱交換器５の２次側空間１５とを遮断する曲げ１８が設けられている。
【００２３】
図４に示すように、室外機の正面パネル３の右下部には、外気の吸込み口である複数のスリット３ａが設けられている。また図３に示すように、フレーム１０には、正面パネル３のスリット３ａから吸込んだ外気が通過するスリット１１ａと、電装箱９下部の開口部１４へ繋がる角穴１１ｂが設けられている。スリット３ａの位置は、外気が直接電装箱９の開口部１４へ導入されないように、フレーム１０に形成されたスリット１１ａの前方に設けられている。一方、図２に示すように、電装箱９の左上方には排気口（ガザリ）１３が設けられている。
【００２４】
室外ファン６が回転すると、熱交換器５を通過しファンガード４より機体外に排気される気流が誘起される。このとき、熱交換器２次側の静圧が電装箱９の静圧に比べて低くなることで送風誘引力が発生し、外気が正面パネル３のスリット３ａ（吸込み口）から導入されて、フレーム１０のスリット１１ａを通過し、通風ガイド１２内の風路を経由して９０度曲がり、フレーム１０の角穴１１ｂを通過して電装箱９に流れる。
【００２５】
図２に太い矢印で示すように、略直方体状の閉じた空間Ｓの対角線の一方の角にある、フレーム１０の角穴１１ｂから導入された外気は、同空間Ｓの他方の角にある、電装箱９の左上方に設けた排気口１３（ガザリ）に向かって対角に流れ、電装箱９内の電気部品類を冷却する。電装箱９の排気口１３付近および冷却用風路上に高温になる電気部品を配置することで、電気部品の冷却効果を高めることができる。ただし、図２に示す対角の冷却用風路上には、風路の妨げにならない電気部品類を配置する必要がある。
【００２６】
図５に示すように、正面パネル３のスリット３ａとフレーム１０のスリット１１ａの開口部の位置は千鳥配置、すなわち開口部をずらした配置としており、正面パネル３の前方からスリット３ａの開口部を通過した雨水が、フレーム１０のスリット板金部１１ｃ（図４参照）と当たり、雨水の侵入を防止するようにしている。また雨水は上方から降ってくるため、スリット３ａおよび１１ａの長穴は縦方向としている。
【００２７】
次に、図６および図７を参照して、フレーム１０内に収納された通風ガイド１２の具体的構成と機能を説明する。図６はフレーム１０への通風ガイド１２の取付状態を示す分解斜視図、図７は通風ガイド１２の内部構造を示す斜視図である。
【００２８】
図６に示すように、正面パネル３のスリット（吸込み口）３ａ後方のフレーム１０のスリット１１ａと、電装箱９への外気の導入口である角穴１１ｂとの間の外気通路には、正面パネル３のスリット３ａから吸込んだ外気を略９０度曲げて電装箱９へ導入するための通風ガイド１２が設けられている。通風ガイド１２は、電装箱９の冷却に必要な流速を確保しながら、通風ガイド１２内で雪や粉塵を自然落下させ、これらが電装箱９へ侵入するのを防止するものである。
【００２９】
図７に示すように、通風ガイド１２は、内部空間が３つの壁で仕切られており、吸込み口に近い第1の壁１２ａには、主に小動物の侵入を防止する複数のパンチング穴１２ｂが形成されている。下部に開口部が設けられた第２の壁１２ｄと、上部に開口部が設けられた第３の壁１２ｅは、主に雪や粉塵の侵入を防止する、少なくとも直角に２回以上折り曲げられた風路１２ｃ（迷路風路）を構成している。正面パネル３の吸込み口から吸込んだ外気が第２の壁１２ｄに衝突し、吸込み方向（水平方向）に対し下側に９０度折り返され、その後、第３の壁１２ｅに衝突し、さらに吸込み方向（水平方向）に対し上側に９０度折り返される。
【００３０】
通風ガイド１２において風路を２回以上折り曲げる理由を以下に説明する。第1の壁１２ａに設けたパンチング穴１２ｂを通過した気流に含まれる雪や粉塵が通風ガイド１２の第２の壁１２ｄに衝突し落下するが、雪や粉塵がそのまま気流に乗って流れる可能性がある。そのため、第３の壁１２ｅを設けて２回衝突されると共に、重力方向とは反対の上方向に流れを形成することで、雪や粉塵を自重落下させる効果を持たせている。
【００３１】
迷路風路１２ｃの下流すなわち第３の壁１２ｅの後方には、風路断面積を正面パネル３のスリット３ａおよび迷路風路１２ｃの断面積よりも大きくした減速空間１２ｈが設けられている。減速空間１２ｈにより迷路風路１２ｃを通り抜けた気流の風速を下げて通風ガイド１２内で雪や塵埃を自然落下させ、電装箱９へ雪や塵埃が侵入するのを防止している。
【００３２】
次に、通風ガイド１２の詳細形状について説明する。正面パネル３のスリット３ａとフレーム１０のスリット１１ａの開口面積は同等で、電装箱９の排気口１３の開口面積以上とする。また複数のパンチング穴１２ｂの開口面積の和はパンチング穴通過時の外気（気流）に圧損がつかないように、正面パネル３のスリット３ａの開口面積以上とする。また、第２の壁１２ｄと第３の壁１２ｅから成る迷路風路１２ｃの風路断面積は、迷路風路内で風速を上げ雪・粉塵を遠心力で振り払らえるように、正面パネル３のスリット３ａの開口面積以下で、排気口１３の開口面積以上とする。また電装箱９へ繋がるフレーム１０の角穴１１ｂ（電装箱導入口）の風路断面積は、気流を減速させる減速空間１２ｈの風路断面積と同等とする。
【００３３】
風路断面積の関係は、排気口１３＜迷路風路１２ｃの断面積＜パンチング穴１２ｂの開口面積の和＜正面パネル３ｂ=フレーム１０のスリット１１ａ＜フレーム１０の角穴１１ｂ＝減速空間１２ｈとすることで、図２に示すような電装箱９内を対角に流れる気流を形成することが出来る。
【００３４】
電装箱９の電気部品類を冷却する風路および風速を確保するための風路断面積の関係は、これに限ったものではなく、室外ファン６の回転数や電装箱内の電気部品の配置（高さ）等の影響も受ける。また、風路断面積を変更すると、フレーム１０の角穴１１ｂを通過した気流は、排気口１３に向けて対角には流れず、電装箱９下部の開口部１４を横方向（水平）に流れフレーム１０の左端付近から排気口１３に向けて上昇する流れを形成する。
【００３５】
上述したように、この発明の室外機では、正面パネル３のスリット３ａから吸込んだ外気を直接電装箱９の開口部１４へ流さず、フレーム１０のスリット１１ａを通し、通風ガイド１２内を経由して電装箱９へ外気を取入れる構成としている。このため、正面パネル３の吸込み口３ａから侵入する雨水のほとんどは、通風ガイド１２の第２の壁１２ｄにより遮断される。第２の壁１２ｄと衝突しなかった雨水や、跳ね上った水しぶきは通風ガイドの第３の壁１２ｅにより遮断される。
【００３６】
さらに、通風ガイド１２の風路を正面パネル３の外気侵入方向に対し、左に略９０度曲げ、電装箱９下部のフレーム１０の角穴１１ｂ（電装箱導入口）から外気を導入するため、電装箱９の開口部１４の上部に配置した電装箱９内の電気部品に雨水がかかることを確実に防止できる。
【００３７】
さらに、従来の空気調和機の室外機では、正面パネルは衣装面であり、外気取込み用の開口部を設けた場合、雨水、粉塵、雪等の侵入および開口部の詰りに対する懸念があったため、正面パネルには開口部を設けていなかった。これに対し、この発明の室外機では、通風ガイド１２を電装箱の吸込み口に取付けることで、上記の懸念事項が解消され、正面パネルに外気吸込み用の開口部を設けることが可能となった。
【００３８】
さらに、正面パネル３側に外気吸込み用のスリット３ａを設けたことで、室外機を数１０mm間隔で横方向に複数台連続設置する大容量室外機においても、外気吸込み口が閉塞されることなく、連続設置した場合の外気吸込み量への影響を排除できると共に、室外機のメンテナンス時に通風口のゴミの詰まりチェックや清掃が容易に行える。また小動物も正面パネル側の表面より影となる裏面や側面を好むので、外気吸込み口から小動物が入りにくいことも期待できる。さらに、通風ガイド１２を透明な樹脂素材で成型すれば、一目で通風ガイド内部の状態が確認でき、メンテナンス性も向上する。
【００３９】
次に、図８を参照して、外気温センサ１２ｉを保持するセンサ保持部１２ｆの構成を説明する。図８は通風ガイド１２を大気の流入側から見た要部斜視図である。通風ガイド１２の第１の壁１２ａに、外気の温度を測定する外気温センサ１２ｉの本体を嵌め込むセンサ保持部１２ｆが設けられている。また通風ガイド１２の底面には、外気温センサ１２ｉの配線１２ｋの通し穴１２ｊが形成され、その下には配線１２ｋを固定する配線支え１２ｌが設けられ、これらの部材は樹脂成型品で一体化している。
【００４０】
前述の特許文献３、４に記載された空気調和機の室外機では、熱交換器吸込み温度を測定する外気温センサを熱交換器付近の導風板へ取付けていたため、熱交換器の温度影響（特に凝縮運転時）を受け、外気の検知精度が低かった。これに対し本発明の室外機では、外気が通過する通風ガイド１２内の風路に外気温度を測定するためのセンサ保持部１２ｆを設けることで、外気温センサの温度検地精度を向上させている。
【００４１】
また本発明の室外機では、通風ガイド１２に外気温センサ保持部１２ｉを一体化したことでセンサ取付けにおける部品点数を削減し、コスト低減と生産性の向上を実現している。さらに、センサ配線支え１２ｌを設けたことで、室外機組立時の配線引回しにおけるセンサ配線の根元に発生する張力を排除し、組立バラツキに対する品質も向上させている。
【００４２】
なお、外気温センサ１２ｉの配置は通風ガイド１２の前面と後面が考えられるが、迷路風路後の後面では通風ガイド１２内に熱が籠もり、外気温度を正確に測定できない可能性があるため、外気温センサ１２ｉはフレーム１０のスリット１１ａの裏側の通風ガイド第１の壁１２ａに縦方向に配置している。
【００４３】
通風ガイド１２は、センサ保持部１２ｆを含めて、第１から第３の壁１２ａ、１２ｄおよび１２ｅがＰＰ樹脂で一体成型された成型品で、２ヵ所の引掛け爪１２ｇによってフレーム１０に取付けられている。図３および図７に示すように、通風ガイド１２は、ガイド本体に設けた鉤形の２ヶ所の引掛け爪１２ｇをフレーム１０に形成された角穴１０ａおよび１０ｂに右後方から引掛けることで取付けられている。上述したように通風ガイド１２はＰＰ樹脂製であるため、弾性変形域で撓ませることにより、片手で簡単に取付けることができる。
【００４４】
このように、フレーム１０へ右後方から樹脂の特性を活かし弾性変形（撓ませ）させながら爪を引っ掛けて差込む簡単な取付け形状とすることで、取外しが容易となり、通風ガイドの清掃や交換における作業性が改善される。
【００４５】
以上説明したように、この本発明の室外機では、電装箱９の冷却に熱交換器を通過した高温の気流（熱交換器２次側の気流）を使用せず、直接外気による電装箱９の冷却を行う構成としたので、電装箱９の電気部品の冷却効果が高まり、室外機の信頼性が向上する。その結果、電装箱９内の電気部品の温度上昇が最も厳しい冷房過負荷運転（室外ファンの回転数最大）においても冷却に必要な風速を確保し、粉塵や雪の侵入を防止できる。
【００４６】
なお、上述した実施の形態では、パンチング穴１２ｂは通風ガイド１２の前面に形成したが、通風ガイド１２の後面に開けることも可能である。前面の場合は、通風ガイドの成型金型の構造が簡素となるのに対し、後面の場合は、パンチング穴に付着した雨水が表面張力でブリッジし、パンチング穴が水の膜で塞がれるのを防止できる。
【００４７】
また、通風ガイド１２の迷路風路を構成する壁は縦方向に設けたが、横方向に設けることも考えられる。通風ガイド１２のサイズおよび迷路風路の断面積や風路長を変更することで、迷路風路を構成する壁はどの方向でも同様の効果が期待できるが、本実施の形態では、第２の壁１２ｄに衝突した気流が重力と反対の上向きの流れを形成し、気流に含まれる粉塵、雪および雨水のしぶきに対し重力による自然落下の効果を持たせることが可能な縦方向としている。
【００４８】
また壁を縦方向としたことで、樹脂製の通風ガイド１２の成型金型の構造を簡素化できる。通風ガイド１２の迷路風路を構成する壁の角度は正面パネル３のスリット３ａから吸込んだ外気（気流）の流れ方向に対し、９０度（垂直方向）に限るものではないが、樹脂の成型性から９０度が好ましい。
【００４９】
また本実施の形態では、正面パネル３に外気吸込み口を設けた空気調和機の室外機について説明したが、この発明は正面パネルに外気吸込み口を設ける場合に限定されるものではなく、外郭パネルに電気品を冷却する外気吸込み口を有する空気調和機の室外機にも適用できるものである。
【符号の説明】
【００５０】
Ｓ  閉じた空間
１  柱
２、１０  フレーム
３  正面パネル
３ａ、１１ａ  スリット
４  ファンガード
５  熱交換器
６  室外ファン
７  空気吹出口
８  機械室
９  電装箱
１１ｂ  電装箱吸込み口（角穴）
１２  通風ガイド
１２ａ、１２ｄ、１２ｅ  壁
１２ｂ  パンチング穴
１２ｃ  迷路風路
１２ｆ  センサ保持部
１２ｇ  引掛け爪
１２ｈ  減速空間
１２ｉ  外気温センサ
１２ｌ  配線支え部
１３  排気口
【図１】
0005653313.tif 000002
【図２】
0005653313.tif 000003
【図３】
0005653313.tif 000004
【図４】
0005653313.tif 000005
【図５】
0005653313.tif 000006
【図６】
0005653313.tif 000007
【図７】
0005653313.tif 000008
【図８】
0005653313.tif 000009